(57)【要約】      （修正有）【課題】波形屋根に対して、回転したりぐらついたりすることなく強固に取り付けられる屋根上取付具およびその取付構造を提供する。【解決手段】屋根上取付具１０は、両脚片１１bを備えて断面略倒コ字形に形成した本体部１１と、両脚片１１bのそれぞれの下端部から対向するように折曲延設された両内向鍔片１２とを少なくとも備えてなり、両脚片１１bを緊締して、両内向鍔片１２を相互に接近させて、波形屋根の頂部３１bより突出したボルト体２１に、該ボルト体に螺着されてナット２２の上方で挟着させる構造とし、上記脚片１１ｂの下端部に、波形屋根の頂部３１ａの上面に当接する突片１７が形成されている。【選択図】図１
2010229646.tif 000002
【特許請求の範囲】
【請求項１】
両脚片を備えて断面略倒コ字形に形成した本体部と、該両脚片のそれぞれの下端部から対向するように折曲延設された両内向鍔片とをすくなくとも備えてなり、上記両脚片を緊締して、上記両内向鍔片を相互に近接させて、波形屋根の頂部より突出したボルト体に、該ボルト体に螺着されたナットの上方で挟着させる構造とした屋根上取付具において、
上記脚片の下端部に、上記波形屋根の頂部の上面に当接する突片が形成されていることを特徴とする屋根上取付具。
【請求項２】
請求項１において、
上記ナットと上記波形屋根の頂部との間に座金が介装されている屋根上取付具。
【請求項３】
請求項１または２において、
上記波形屋根の頂部は、隣接する波形屋根が重合して形成されてなり、
上記ボルト体およびナットは、上記波形屋根の重合部を貫通して固定する固定部材として設けられている屋根上取付具。
【請求項４】
請求項１〜３のいずれか１項において、
上記突片は、上記脚片と上記内向鍔片との間の折曲部を下方に突出させて形成されている屋根上取付具。
【請求項５】
請求項１〜３のいずれか１項において、
上記内向鍔片および上記突片は、上記脚片を切込み、切断加工して形成されている屋根上取付具。
【請求項６】
請求項１〜５のいずれかに記載の屋根上取付具を波形屋根に取り付けてなる、屋根上取付具の取付構造。
【発明の詳細な説明】
【技術分野】
【０００１】
本発明は、波形屋根の頂部より突出したボルト体に挟着させて屋根上に取り付けるようにした屋根上取付具およびその取付構造に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、山部と谷部とが交互に連続してなる波形屋根における山部の頂部等で、隣接する屋根材同士を重ねてなる重合部をボルト体とナットの螺着によって連結、固定した構造のものでは、重合部を屋根の下方より貫通して屋根上に突出された、屋根材連結のためのボルト体を、対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両内向鍔片（両挟着片）とを備えており、両脚片を横方向に貫通する緊締用ボルト、ナットで両脚片を緊締して、ボルト体に両内向鍔片を挟着させて取り付ける構造となっている。このような取付構造によれば、内向鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に、上記ボルト体に螺着されるナットが配されているから、内向鍔片でボルト体を挟み込む位置は、ボルト体の軸部の、ナットから上方に突き出た箇所となり、そのため内向鍔片をボルト体に挟着させたときには、両脚片の下端を含む内向鍔片の全体は屋根から浮いた状態となる。そのため、屋根上取付具に対して大きな外力が加われば、屋根上取付具がぐらつくおそれがあった。
【０００７】
本発明は、このような事情を考慮して提案されたもので、その目的は、波形屋根に対して、回転したりぐらついたりすることなく強固に取り付けられる屋根上取付具およびその取付構造を提供することにある。
【課題を解決するための手段】
【０００８】
上記目的を達成するために、請求項１に係る屋根上取付具は、両脚片を備えて断面略倒コ字形に形成した本体部と、該両脚片のそれぞれの下端から対向するように折曲延設された両内向鍔片とをすくなくとも備えてなり、両脚片を緊締して、両内向鍔片を相互に近接させて、波形屋根の頂部より突出したボルト体に、該ボルト体に螺着されたナットの上方で挟着させる構造とした屋根上取付具において、脚片の下端に波形屋根の頂部の上面に当接する突片が形成されている。
【０００９】
請求項２に係る屋根上取付具は、ナットと上記波形屋根の頂部との間に座金が介装されている。
【００１０】
請求項３に係る屋根上取付具は、波形屋根の頂部は隣接する波形屋根が重合して形成されてなり、ボルト体およびナットは波形屋根の重合部を貫通して固定する固定部材として設けられている。
【００１１】
請求項４に係る屋根上取付具は、突片は、脚片と内向鍔片との間の折曲部を下方に突出させて形成されている。
【００１２】
請求項５に係る屋根上取付具は、内向鍔片および突片は、脚片を切込み、切断加工して形成されている。
【００１３】
請求項６に係る屋根上取付具の取付構造は、請求項１〜５のいずれかに記載の屋根上取付具を波形屋根に取り付けてなるものである。
【発明の効果】
【００１４】
本発明によれば、次のような効果がある。
【００１５】
すなわち、請求項１に係る屋根上取付具および請求項６に係る屋根上取付具の取付構造によれば、脚片の下端部に波形屋根の頂部の上面に当接する突片が形成されているので、ボルト体への挟着のみによらず折板屋根に固定され得、屋根上取付具のぐらつきを防止できる。脚片の下端部が折板屋根の頂部に当たっているので、屋根上取付具の水平方向の回転も発生しにくい。また、突片を脚片や内向鍔片の一部で構成すれば、他の部材を付加する必要がなく、折板屋根への取付をスムーズに行える。
【００１６】
請求項２に係る屋根上取付具では、ナットと波形屋根の頂部との間に座金が介装されているので、座金に防水パッキン等を付加することでボルト体の貫通孔からの防水が図れる。また、座金を設けることで内向鍔片の挟着位置が高くなるが、波形屋根の頂部に当接する突片を脚片の下端部に備えているので、屋根上取付具を、座金をかわしてボルト体に挟着させることができる。
【００１７】
請求項３に係る屋根上取付具では、波形屋根の重合部を貫通して固定するためのボルト体に挟着する構成としている。つまり、重合部連結用のボルト体を屋根上取付具の取付用として兼用して利用しているため、屋根上取付具を波形屋根に取り付けるためのボルト体を新たに使用する必要がなく、取付のための部品点数を少なくすることができる。
【００１８】
請求項４に係る屋根上取付具によれば、脚片と内向鍔片との間の折曲部を下方に突出させて突片が形成されているため、屋根上取付具を折り曲げ加工で簡易に製造できる。また、脚片の下端部で折り曲げて内向鍔片を形成して、その下端部で脚片と内向鍔片とが重なるようにして突片を構成すれば、屋根上取付具自体を頑丈な構造とすることができる。
【００１９】
請求項５に係る屋根上取付具によれば、脚片を切込み、切断加工して内向鍔片および突片を形成しているので、折板屋根に対して安定した屋根上取付具を簡易に製造できる。また、切込み、切断寸法を調節することで、内向鍔片および突片を、取付対象である折板屋根の形状等に合った種々の形状、寸法に形成することができる。
【図面の簡単な説明】
【００２０】
【図１】本発明に係る屋根上取付具の第１の実施形態を示す説明図であり、（ａ）は屋根上取付具の波形屋根への取付状態を示した正面図、（ｂ）は同側面図である。
【図２】（ａ）は図１に示した屋根上取付具の分解斜視図、（ｂ）は（ａ）のＸ部分の拡大平面図である。
【図３】（ａ）、（ｂ）は、同屋根上取付具の施工状態を示す正面図である。
【図４】本発明に係る屋根上取付具の第２の実施形態を示す説明図であり、（ａ）は屋根上取付具の波形屋根への取付状態を示した正面図、（ｂ）は同側面図である。
【図５】図４に示した屋根上取付具の分解斜視図である。
【図６】同実施形態の屋根上取付具の他２例を示す図（（ａ）は第１例の斜視図、（ｂ）は第２例の側面図）である。
【発明を実施するための形態】
【００２１】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２２】
図１〜図３は、本発明に係る屋根上取付具の第１の実施形態を示す説明図である。図１（ａ）は屋根上取付具の折板屋根への取付状態を示した正面図、図１（ｂ）は同側面図である。また、図２（ａ）は図１に示した屋根上取付具の分解斜視図、図２（ｂ）は（ａ）のＸ部分の拡大平面図である。図３（ａ）、（ｂ）は同屋根上取付具の施工状態を示す正面図である。
【００２３】
本実施形態に使用される折板屋根３０は、山部３１と谷部３２とが交互に連続する屋根であって、複数の折板屋根材を側端縁の山部３１の頂部３１ａで重合し、その重合部３０ａでボルト体２１とナット２２の螺着によって連結した重ね式構造となっている。また、ボルト孔３０ｂからの水浸入を防止するために、ナット２２と頂部３１ａとの間に防水パッキン（図示省略）が取り付けられている。
【００２４】
一方、屋根上取付具１０は、金属板または硬質樹脂板よりなり、折板屋根３０の頂部３１ａより上方に突出した重合部連結用の上記ボルト体２１に挟着して、取付、固定する構造となっている。
【００２５】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの両下端部１１ｂｂ、１１ｂｂから対向するように折曲延設された両内向鍔片１２、１２とをすくなくとも備えてなり、両脚片１１ｂ、１１ｂを緊締して、両内向鍔片１２、１２を相互に近接させて、上記ボルト体２１の軸部２１ａに、ボルト体２１に螺着されたナット２２の上方位置で挟着させる構造となっている。また両脚片１１ｂ、１１ｂの緊締は、対向する両脚片１１ｂ、１１ｂに開設された軸孔１１ｂａ、１１ｂａに貫通された緊締用ボルト１３と、緊締用ナット１４との螺合によってなされる。
【００２６】
本実施形態では、脚片１１ｂの下端部１１ｂｂに、脚片１１ｂと内向鍔片１２との間の折曲部１６を下方に突出させてなる突片１７が形成されており、屋根上取付具１０を折板屋根３０に取り付けたときに、突片１７が波形屋根３０の頂部３１ａの上面に当接する構造となっている。すなわち、本実施形態では、図１等に示すように、内向鍔片１２の折曲基部１２ａと、脚片１１ｂの下端部１１ｂｂとが重なり合って突片１７を形成している。また、内向鍔片１２は、全体として湾曲あるいは折曲形状となっており、折曲部１６から途中まで傾斜起立している折曲基部１２ａと、その途中から先端の辺縁まで、上板１１ａに略平行に形成されている先端部１２ｂとより構成されている（図３参照）。もちろん、内向鍔片１２の形状は本図例のものに限られず、すくなくともボルト体２１に挟着できるものであれば、どのような形状であってもよい。
【００２７】
また、図２（ｂ）の拡大平面図に示すように、内向鍔片１２の先端部１２ｂの辺縁の略中央には、折板屋根３０の頂部３１ａより突出したボルト体２１の外周面に嵌合可能な凹所１２ｃが形成されており、さらに凹所１２ｃの中央には上方に傾斜起立された切り起こし片１２ｄが形成されている。なお、この切り起こし片１２ｄはボルト体２１の軸部２１ａに対して鋭角的に嵌合させるものであるが、挟着したときに内向鍔片１２自体がある程度傾斜するものであれば、その傾斜の程度によっては、切り起こし片１２ｄを形成しないものであってもよい。さらに、内向鍔片１２には、内向鍔片１２の強度を上げるためのリブ１２ｅが形成されている。
【００２８】
以上のように構成した屋根上取付具１０は、以下の要領で折板屋根３０に取り付けて使用する。
【００２９】
まず、屋根上取付具１０の両脚片１１ｂ、１１ｂの軸孔１１ｂａの一方から緊締用ボルト１３の軸部１３ａを貫通したうえで、緊締用ボルト１３の先端側から緊締用ナット１４を軽く締めて仮止め状態にし、その屋根上取付具１０を、折板屋根３０に突出したボルト体２１の上方から、両脚片１１ｂ、１１ｂの隙間１５にボルト体２１が嵌挿されるようにして、折板屋根３０の頂部３１ａの上面に載置する（図３（ａ）、（ｂ）参照）。
【００３０】
次に、仮止め状態にしていた緊締用ボルト１３および緊締用ナット１４を締め付けると、この締め付け力によって両脚片１１ｂ、１１ｂが近接して、両内向鍔片１２、１２も隙間１５が小さくなるように互いに近接する。そして、両内向鍔片１２、１２間が近接することで、その両先端部１２ｂ、１２ｂの両凹所１２ｃ、１２ｃがボルト体２１の軸部２１ａを挟み込むとともに、切り起こし片１２ｄがボルト体２１のネジ溝に食い込んで、両者は強固に連結固定される（図１参照）。
【００３１】
こうして折板屋根３０に取り付けた屋根上取付具１０の本体部１１の上には、各種機器や部材類（不図示）を取り付けることができる。
【００３２】
このように緊締用ボルト１３および緊締用ナット１４で両脚片１１ｂ、１１ｂを緊締すると、図１に示すように、両脚片１１ｂ、１１ｂの折曲部１６、１６が相互に近づいて両脚片１１ｂ、１１ｂが傾斜状態から略垂直状態に変化するとともに、両内向鍔片１２、１２の先端部１２ｂ、１２ｂはボルト体２１に対して、やや起立傾斜した状態となる。
【００３３】
この状態では、両脚片１１ｂ、１１ｂが頂部３１ａに対して略垂直状態にあるため、突片１７も同様に略垂直となって、安定した状態となって、突片１７の下端である折曲部１６が頂部３１ａをやや押圧するように頂部３１ａの上面に当接する。
【００３４】
このように、屋根上取付具１０は、突片１７が折板屋根３０の頂部３１ａの上面に当接しているため、折板屋根３０に対して、ボルト体２１への挟着のみによらず固定され得、屋根上取付具１０のぐらつきを確実に防止できる。また、脚片１１ｂの下端部１１ｂｂが折板屋根３０の頂部３１ａに当たっているので、屋根上取付具１０の水平方向の回転も発生しにくい。また、突片１７を脚片１１ｂや内向鍔片１２の一部で構成しているので、他の部材を付加する必要がなく、取付をスムーズに行える。
【００３５】
また、本実施形態では脚片１１ｂと内向鍔片１２との間の折曲部１６を下方に突出させて突片１７が形成されたものであるため、構造を簡易にでき、屋根上取付具１０の製造を容易に行える。さらに、本図例のように、突片１７を脚片１１ｂと内向鍔片１２との重ね合わせで構成すれば、屋根上取付具１０の構造を頑丈にできる。
【００３６】
また、本実施形態では、屋根上取付具１０を折板屋根３０に取り付けるためのボルト体２１は、屋根材連結用のものが兼用されているため、取付のための部品点数を少なくすることができる。
【００３７】
図４および図５は、本発明に係る屋根上取付具の第２の実施形態を示す説明図である。図４（ａ）は屋根上取付具の折板屋根への取付状態を示した正面図、図４（ｂ）は同側面図である。また、図５は図４に示した屋根上取付具の分解斜視図である。なお、本実施形態では、屋根上取付具の施工状態図を省略する。
【００３８】
本実施形態に使用される折板屋根３０は、第１の実施形態と同様に、屋根材の重合部３０ａをボルト体２１とナット２２の螺着によって連結した重ね式構造となっているが、ナット２２と折板屋根３０の頂部３１ａとの間には、ボルト孔３０ｂからの水浸入の防止のために、防水パッキンが内装された略円錐形の座金２３が取り付けられている。なお、ナット２２と座金２３とが一体となったものを使用してもよい。
【００３９】
一方、屋根上取付具１０は、内向鍔片１２と突片１７が、脚片１１ｂを形成するための板体を切込み、切断加工して形成されている。この屋根上取付具１０の例では、板体の下端から上方に向けて脚片１１ｂの側辺に平行な２本の切込みを入れ、その切込みによってできた中央片を内側に切り起こして内向鍔片１２を形成し、一方、脚片１１ｂの下端部１１ｂｂには、切込みによってできた２側片よりなる突片１７が形成されている。また、突片１７に、下端が外側に折り曲げられて頂部３１ａの上面に対して面接触する足部１７ａが形成されている。この足部１７ａは脚片１１ｂの残余で形成したものであるため、内向鍔片１２の寸法との関係によっては形成されなくてもよい。
【００４０】
また、内向鍔片１２の先端部１２ｂの辺縁には、凹所１２ｃおよび切り起こし片１２ｄが形成されている。なお、本実施形態において、第１の実施形態と同様の構造については、同一の符号を付して説明を省略する（後述する図６においても同様）。また、図４および図５中の符号１６は、脚片１１ｂと内向鍔片１２との間の折曲部である。
【００４１】
このように、本実施形態では、脚片１１ｂを形成するための板体を切込み、切断加工して内向鍔片１２および突片１７を形成しているので、折板屋根３０に対して安定した屋根上取付具１０を簡易に製造できる。また、切込み、切断寸法を調節することで、内向鍔片１２および突片１７を、取付対象である折板屋根３０の形状等に合った種々の形状、寸法に形成できる。特に、切込み寸法を調節することで内向鍔片１２の高さ位置を高くできるので、本実施形態の折板屋根３０のように、座金２３とナット２２によって、ボルト体２１への挟着位置が高くなる場合に、有効な屋根上取付具として利用できる。また、突片１７の先端に足部１７ａを形成することで、屋根上取付具１０を頂部３１ａに対して、さらに安定的に取り付けることができる。
【００４２】
図６は、第２の実施形態の屋根上取付具の他２例を示す説明図で、図６（ａ）は第１例の屋根上取付具の取付前の状態を示した斜視図（緊締用ボルト、ナットは不図示）であり、図６（ｂ）は第２例の屋根上取付具の取付状態を示した側面図である。
【００４３】
図６（ａ）に示した第１例の屋根上取付具１０は、図４のものと同様に、内向鍔片１２と突片１７とが、脚片１１ｂを形成するための板体を切込み、切断加工することで形成されており、脚片１１ｂの下端部１１ｂｂに突片１７が形成されている。なお、図４と同様の構成については、同一の符号を付して、その説明は割愛する。また、内向鍔片１２にはリブ１２ｅが形成されている。
【００４４】
この第１例のものも、内向鍔片１２と突片１７を切込み、切断で形成できるので、図４のものと同様の効果が得られる。
【００４５】
また、図６（ｂ）に示した第２例の屋根上取付具１０は、図４に示した屋根上取付具の変形例を示したものである。この屋根上取付具１０は、脚片１１ｂを形成するための板体を切込み、切断加工によって内向鍔片１２と突片１７とを形成したもので、突片１７は脚片１１ｂの下端部１１ｂｂに形成されている。また、突片１７の下方には、頂部３１ａを挟み込む一対の取付具回り止め片１８が形成されている。この取付具回り止め片１８は、突片１７の下端を切り欠いて形成できるもので、これによって屋根上取付具１０の水平方向の回転が規制される。
【００４６】
以上の第１、第２の実施形態で示した２種の屋根上取付具では、第１の実施形態のものは座金２３を設けない形態とした折板屋根３０に対して取り付けられ、第２の実施形態のものは座金２３を設けた形態の折板屋根３０に対して取り付けられているが、いずれの屋根上取付具も、取付対象である折板屋根がいずれの形態であってもよい。
【００４７】
また、いずれの実施形態も、突片１７を脚片１１ｂおよび内向鍔片１２と一体的に形成しているが、別体の突片を脚片１１の下端部１１ｂｂに付加する構成であってもよい。
【００４８】
また、以上の第１、第２の実施形態では、屋根上取付具１０を隣接する両屋根材の重合部３０ａに配した例を示したが、重合部が形成されていない山部３１の頂部３１ａに屋根上取付具１０を取り付けてもよい。
【００４９】
さらに、以上の第１、第２の実施形態では、山部３１、谷部３２の方向に沿って両脚片１１ｂ、１１ｂが配列されるように屋根上取付具１０を配した例を示したが、波の方向に沿って両脚片１１ｂ、１１ｂが配列されるように屋根上取付具１０を配してもよい。その場合、特に丸波形屋根で、波の頂部間の長さが短く、かつ谷部３２の底部面から山部３１の頂部までの高さが低いような場合には、内向鍔片１２の折曲基部１２ａが谷部３２の底部面に当接する構成であってもよい。つまり、屋根上取付具の取付構造は、内向鍔片１２の折曲基部１２ａが波形屋根の上面のいずれかの部位を押圧するような構造であればよい。
【００５０】
なお、屋根上取付具１０は上記２種の方向に配することが望ましいが、それら以外のどのような方向に配してもよい。
【００５１】
また、上記屋根上取付具は、平板形（波形を形成していない）屋根に取り付けることも可能である。
【符号の説明】
【００５２】
１０      屋根上取付具
１１      本体部
１１ａ      上板
１１ｂ      脚片
１１ｂｂ      下端部
１２      内向鍔片
１２ａ      折曲基部
１２ｂ      先端部
１６      折曲部
１７      突片
１８      取付具回り止め片
２１      ボルト体
２２      ナット
２３      座金
３０      折板屋根（波形屋根）
３０ａ      重合部
３１      山部
３１ａ      頂部
３２      谷部
【図１】
2010229646.tif 000003
【図２】
2010229646.tif 000004
【図３】
2010229646.tif 000005
【図４】
2010229646.tif 000006
【図５】
2010229646.tif 000007
【図６】
2010229646.tif 000008